(57)【特許請求の範囲】
【請求項１】
電線が取り付けられる電線接続部を備えた端子金具と、
前記端子金具を収容する少なくとも１つの端子収容部が設けられたコネクタハウジングと、を有するコネクタであって、
前記端子収容部には、前記電線接続部を覆う位置に放熱部が設けられ、
前記端子収容部が、互いの間に前記端子金具を挟持する一対の挟持部によって構成され、
前記放熱部は、前記コネクタハウジングの外表面から凹の底部に形成された凸部が互いに間隔をあけて複数設けられて構成されたものであり、
前記底部が、前記挟持部の外表面の一部であり、
前記複数の凸部は、前記一対の挟持部が互いに近付く方向の頂部同士が同一平面に形成されていることを特徴とするコネクタ。
【請求項２】
前記端子金具が、互いに間隔をあけて複数並べられており、
前記端子収容部が複数設けられ、
前記複数の端子収容部が、前記複数の端子金具が並ぶ方向に連結されているとともに、前記一対の挟持部が前記端子金具を挟持する方向に位置をずらして設けられていることを特徴とする請求項１に記載のコネクタ。
【発明の詳細な説明】
【技術分野】
【０００１】
本発明は、多種多様な電子機器に電源からの電力を供給するためのコネクタに関する。
【背景技術】
【０００２】
移動体としての自動車には、多種多様な電子機器に電源からの電力を供給するためのコネクタが設けられている。上記従来のコネクタは、電線と、前記電線が接続される端子金具と、前記端子金具を互いの間に挟持する一対の挟持部を備えたハウジングと、を有している。上記端子金具は、電線が取り付けられる電線接続部と、該電線接続部に連なる電気接触部と、を一体に備えている。（例えば、特許文献１を参照。）。
【先行技術文献】
【特許文献】
【０００３】
【特許文献１】特開２００９−２１１９７６号公報
【発明の概要】
【発明が解決しようとする課題】
【０００４】
近年、前記自動車に搭載される電子機器の高機能化に伴い、比較的大きな電流（大電流）が前記電線に流されることとなり、よって、前記大電流が流される電線と、該電線が取り付けられる端子金具との接触抵抗によって、端子金具の前記電線が取り付けられる電線接続部が特に発熱することとなり、前記電線接続部が発熱することで、前記熱がハウジングに伝わり、よって、該ハウジングが前記熱によって変形してしまう虞れがあった。
【０００５】
さらに、前述した従来のコネクタは、電線が取り付けられた端子金具の電線接続部が、ハウジングの一対の挟持部によって互いの間に挟持されることで前記ハウジングに取付けられているので、前記電線接続部は、前記ハウジングに覆われていることとなり、よって、前記ハウジングに熱がこもってしまうこととなり、前記ハウジングが前記熱によってさらに変形してしまう虞れがあった。
【０００６】
そこで、本発明は、上記のような問題点に着目し、放熱性の向上を図ったコネクタを提供することを目的とする。
【課題を解決するための手段】
【０００７】
請求項１に記載の本発明は、電線が取り付けられる電線接続部を備えた端子金具と、前記端子金具を収容する少なくとも１つの端子収容部が設けられたコネクタハウジングと、を有するコネクタであって、前記端子収容部には、前記電線接続部を覆う位置に放熱部が設けられ、前記端子収容部が、互いの間に前記端子金具を挟持する一対の挟持部によって構成され、前記放熱部は、前記コネクタハウジングの外表面から凹の底部に形成された凸部が互いに間隔をあけて複数設けられて構成されたものであり、前記底部が、前記挟持部の外表面の一部であり、前記複数の凸部は、前記一対の挟持部が互いに近付く方向の頂部同士が同一平面に形成されていることを特徴としている。
【０００９】
請求項２に記載の本発明は、請求項１に記載の本発明において、前記端子金具が、互いに間隔をあけて複数並べられており、前記端子収容部が複数設けられ、前記複数の端子収容部が、前記複数の端子金具が並ぶ方向に連結されているとともに、前記一対の挟持部が前記端子金具を挟持する方向に位置をずらして設けられていることを特徴としている。
【発明の効果】
【００１０】
請求項１記載の本発明によれば、電線が取り付けられる電線接続部を備えた端子金具と、前記端子金具を収容する少なくとも１つの端子収容部が設けられたコネクタハウジングと、を有するコネクタであって、前記端子収容部には、前記電線接続部を覆う位置に放熱部が設けられ、前記放熱部には、前記端子収容部の表面から凸に形成された凸部が互いに間隔をあけて複数設けられているので、前記端子収容部の表面積が増加することとなり、よって、電線と、該電線が取り付けられる端子金具との接触抵抗によって発熱した熱を、放散（放熱）しやすくすることができる。また、前記放熱部が、前記接触抵抗によって特に発熱する前記電線接続部を覆う位置に設けられていることで、前記熱を効率よく放熱することができる。よって、放熱性の向上を図ったコネクタを提供することができる。
【００１１】
また、前記端子収容部は、互いの間に前記端子金具を挟持する一対の挟持部によって構成されており、前記複数の凸部は、該凸部の前記一対の挟持部が互いに近付く方向の頂部同士が同一平面に形成されているので、同一平面に形成された前記複数の頂部を、前記一対の挟持部が互いに近付く方向に押し付ける容易な作業で、前記端子金具を前記端子収容部に収容することができる。
【００１２】
請求項２記載の本発明によれば、前記端子金具が、互いに間隔をあけて複数並べられており、前記端子収容部が複数設けられ、前記複数の端子収容部は、前記複数の端子金具が並ぶ方向に連結されており、互いに隣り合う前記端子収容部同士は、前記電線の長手方向と前記複数の端子金具が並ぶ方向との双方向に対して交差する方向の互いに異なる位置に設けられているので、端子収容部の表面積がより一層増加することとなり、よって、より一層放熱性の向上を図ったコネクタを提供することができる。
【図面の簡単な説明】
【００１３】
【図１】本発明の一実施の形態に係るコネクタの斜視図である。
【図２】図１に示すＩ−Ｉ線に沿う断面図である。
【図３】図１に示されたコネクタを構成する端子金具を示す斜視図である。
【図４】図１に示されたコネクタを構成する下ハウジングを示す斜視図である。
【図５】図１に示されたコネクタを構成する上ハウジングを示す斜視図である。
【発明を実施するための形態】
【００１４】
本発明の一実施の形態にかかるコネクタを、図１乃至図５を参照して説明する。
【００１５】
図１、図２などに示すコネクタ１は、図示しないシールド電線と、前記シールド電線の後述する複数の被覆電線それぞれが取り付けられる複数の端子金具２と、前記複数の端子金具２を収容するコネクタハウジング３と、前記コネクタハウジング３に取り付けられるシールドシェル６と、を備えている。図１などに示された矢印Ｙ方向は、シールド電線（被覆電線）の長手方向を示しており、矢印Ｘ方向は、複数の端子金具２が並ぶ方向を示しており、矢印Ｚ方向は、前記矢印Ｙ方向と、前記矢印Ｘ方向との双方向に対して交差する方向、及び、後述するコネクタハウジング３の一対の挟持部４１、４２、５１、５２が互いに近付く方向を示している。また、図２においては、挟持部４２、５２によって挟持された端子金具２は省略されている。
【００１６】
上記シールド電線は、導電性の芯線と、芯線を覆う絶縁性の被覆部からなる複数の被覆電線（以下電線と記す）と、これら複数の電線を一括で覆う導電性の金属材料等からなる素線が編まれるなどして形成されて、外部に電気的なノイズが漏洩することを規制するシールド編組と、前記シールド編組を覆う絶縁性の外皮シースと、によって構成されている。
【００１７】
上記複数の端子金具２は、互いに間隔をあけて矢印Ｘ方向に沿って並んでいる。各端子金具２は、導電性の板金に、打ち抜き加工や曲げ加工が施されることで得られるものである。この端子金具２は、図３に示すように、電線接続部２１と、電線接続部２１に連なる電気接触部２２と、を一体に備えている。
【００１８】
上記電線接続部２１は、矩形状に形成された底板２３と、前記底板２３の長手方向（矢印Ｙ）の一（先）端部に設けられた一対の被覆かしめ片２４と、前記底板２３の長手方向（矢印Ｙ）の他端部に設けられた一対の芯線かしめ片２５と、を一体に備えている。また、電線接続部２１（即ち、端子金具２）の長手方向（矢印Ｙ）と、該電線接続部２１に接続される電線の長手方向（矢印Ｙ）とは、互いに平行に設けられている。
【００１９】
上記被覆かしめ片２４は、底板２３の幅方向（矢印Ｘ）の両縁部から立設している。また、一対の被覆かしめ片２４は、底板２３から離れた側の縁が底板２３に近付くように曲げられている。そして、一対の被覆かしめ片２４は、前記電線の被覆部を、底板２３との間に挟んで、該被覆部をかしめることで、被覆かしめ片２４と、前記電線とを機械的に接続する。
【００２０】
上記一対の芯線かしめ片２５は、底板２３の幅方向の両縁部から立設している。また、一対の芯線かしめ片２５は、底板２３から離れた側の縁が底板２３に近付くように曲げられていている。そして、一対の芯線かしめ片２５は、前記電線の被覆部が皮剥ぎされて露出した状態の前記芯線を、底板２３との間に挟んで、該芯線をかしめることで、芯線かしめ片２５と、前記電線の芯線と、を電気的に接続する。
【００２１】
上記電気接触部２２は、電線接続部２１の底板２３に連なっている。また、電気接触部２２は、上面視が円形に形成されており、その中央部には、例えば、図示しないボルトが通される孔部２２ａが設けられている。
【００２２】
上記コネクタハウジング３は、絶縁性の合成樹脂からなる。また、コネクタハウジング３は、図１などに示すように、複数の下挟持部４１、４２が設けられた下ハウジング４と、複数の上挟持部５１、５２が設けられ、下ハウジング４が組み付けられる上ハウジング５と、によって構成されている。また、コネクタハウジング３には、前記端子金具２を収容する複数の端子収容部３０が設けられている。各端子収容部３０は、下ハウジング４の各下挟持部４１、４２と、該下挟持部４１、４２に組み付けられる上ハウジング５の各上挟持部５１、５２と、によって構成されている。また、下挟持部４１、４２と上挟持部５１、５２とは、特許請求項の範囲に示された「一対の挟持部」をなしている。
【００２３】
上記下ハウジング４は、図４に示すように、矩形状に形成された複数の下挟持部４１、４２と、シェル取付部４３と、張出部４４と、複数の放熱部４５と、複数の立設部４６Ａ、４６Ｂ、４６Ｃと、複数の係止部４７と、を備えている。下挟持部４１、４２は、下ハウジング４の矢印Ｙ方向の端部に設けられており、張出部４４は、矢印Ｙ方向の下挟持部４１、４２から離れた側の端部に設けられており、シェル取付部４３は、下挟持部４１、４２と張出部４４との間に設けられている。また、図４は、図１に示されたコネクタハウジング３の下ハウジング４を図１中の矢印Ｚ方向の下から見た図である。
【００２４】
上記複数の下挟持部４１、４２は、矢印Ｘ方向に沿って連結されているとともに、互いに隣り合う下挟持部４１、４２同士は、矢印Ｚ方向の互いに異なる位置に設けられている。即ち、互いに隣り合う下挟持部４１、４２同士は、矢印Ｚ方向に位置をずらされており、図４中の手前側に位置する下挟持部４２は、奥側に位置する下挟持部４１よりも図４中の矢印Ｚ方向の上方に位置している。
【００２５】
また、各下挟持部４１、４２には、電線及び該電線が取り付けられた端子金具２を収容する溝部４８が設けられている。上記溝部４８は、下挟持部４１、４２の矢印Ｚ方向の内表面から凹に形成されている。
【００２６】
上記シェル取付部４３には、後述する上ハウジング５のシェル取付部５３が組み付けられる。また、シェル取付部４３に、後述する上ハウジング５のシェル取付部５３が組み付けられると、これらシェル取付部４３、５３は、筒状に形成される。また、シェル取付部４３は、後述するシェル取付部５３との間に、前記端子金具２が取り付けられた電線を位置付ける。また、シェル取付部４３、５３の外周部には、シールドシェル６が取り付けられる。
【００２７】
上記張出部４４は、板状に形成されている。また、張出部４４は、矢印Ｙ方向に向かって突出するように設けられており、後述する上ハウジング５に設けられた張出部５４とは矢印Ｚに沿って対向する位置に設けられ、互いの間に、前記端子金具２が取り付けられた電線を位置付ける。
【００２８】
上記複数の放熱部４５は、各下挟持部４１、４２それぞれに設けられている。また、各放熱部４５は、各下挟持部４１、４２の矢印Ｙ方向のシェル取付部４３から離れた側の端部に設けられている。即ち、前記放熱部４５は、下挟持部４１、４２の前記電線接続部２１を覆う位置に設けられている。また、放熱部４５は、下挟持部４１、４２の前記内表面と反対側の外表面から凹に形成された底部４ａから凸に形成された凸部４９が互いに間隔をあけて複数設けられていることで形成されている。上記複数の凸部４９は、矢印Ｚ方向の前記下挟持部４１、４２から離れた頂部４９ａ同士が同一平面に形成されている。前記底部４ａは、特許請求項の範囲に示された「（端子収容部３０の）表面」に相当する。
【００２９】
上記複数の立設部４６Ａ、４６Ｂは、各下挟持部４１、４２それぞれに設けられている。また、立設部４６Ａ、４６Ｂは、下挟持部４１（下挟持部４２）の矢印Ｘ方向の下挟持部４２（下挟持部４１）から離れた側の縁から矢印Ｚ方向に沿って立設している。また、立設部４６Ａは、下挟持部４１、４２の矢印Ｙ方向のシェル取付部４３から離れた側に設けられ、立設部４６Ｂは、下挟持部４１、４２の矢印Ｙ方向のシェル取付部４３寄りに設けられており、これら立設部４６Ａ、４６Ｂは、矢印Ｙ方向に互いに間隔をあけて設けられている。上記立設部４６Ｃは、シェル取付部４３に設けられており、該立設部４６Ｃは、シェル取付部４３の矢印Ｘ方向の下挟持部４１から離れた側の縁から矢印Ｚに沿って立設している。
【００３０】
上記複数の係止部４７は、各立設部４６Ａ、４６Ｃそれぞれに設けられている。また、複数の係止部４７は、各立設部４６Ａ、４６Ｃの矢印Ｚ方向の下挟持部４１、４２から離れた端部それぞれに設けられているとともに、前記立設部４６Ａ、４６Ｃの矢印Ｘ方向の下挟持部４１（または、下挟持部４２）から離れた側の表面に設けられている。
【００３１】
さらに、下挟持部４２には、立設部４６Ｄと、立設部４６Ｄに設けられた係止部４７と、が設けられている。上記立設部４６Ｄは、下挟持部４２の矢印Ｘ方向の下挟持部４１寄りの縁から矢印Ｚ方向に沿って立設している。また、立設部４６Ｄは、矢印Ｚ方向の寸法が、前述した立設部４６Ａ、４６Ｂ、４６Ｃよりも長く形成されている。また、係止部４７は、前記立設部４６Ｄの矢印Ｚ方向の前記下挟持部４１から離れた端部に設けられているとともに、前記立設部４６Ｄの矢印Ｘ方向の下挟持部４１から離れた側の表面に設けられている。
【００３２】
上記上ハウジング５は、図５に示すように、矩形状に形成された複数の上挟持部５１、５２と、シェル取付部５３と、張出部５４と、複数の放熱部５５と、複数の係止受け部５６と、を備えている。上挟持部５１、５２は、上ハウジング５の矢印Ｙ方向の端部に設けられており、張出部５４は、矢印Ｙ方向の上挟持部５１、５２から離れた側の端部に設けられており、シェル取付部５３は、上挟持部５１、５２と張出部５４との間に設けられている。また、図５は、図１に示されたコネクタハウジング３の上ハウジング５を図１中の矢印Ｚ方向の下から見た図である。
【００３３】
上記複数の上挟持部５１、５２は、矢印Ｘ方向に沿って連結されているとともに、互いに隣り合う上挟持部５１、５２同士は、矢印Ｚ方向の互いに異なる位置に設けられている。即ち、互いに隣り合う上挟持部５１、５２同士は、矢印Ｚ方向に位置をずらされており、図５中の手前側に位置する上挟持部５２は、奥側に位置する上挟持部５１よりも図５中の矢印Ｚ方向の上方に位置している。こうして、前述した下ハウジング４の下挟持部４１、４２と、上ハウジング５の上挟持部５１、５２とによって構成された複数の端子収容部３０は、矢印Ｘ方向に沿って連結されており、かつ、互いに隣り合う端子収容部３０同士は、矢印Ｚ方向の互いに異なる位置に設けられていることとなる。
【００３４】
また、各上挟持部５１、５２それぞれには、一対の突部５７が設けられている。一対の突部５７は、矢印Ｘ方向に互いに間隔をあけて設けられ、互いの間に、端子金具２の電線接続部２１を位置付ける。また、突部５７は、上挟持部５１、５２の下挟持部４１、４２の前記内表面に重ねられる内表面から凸に形成されている。また、突部５７は、矢印Ｙ方向に延在している。
【００３５】
上記張出部５４は、板状に形成されている。また、張出部５４は、矢印Ｙ方向に向かって突出するように設けられている。
【００３６】
上記複数の放熱部５５は、各上挟持部５１、５２それぞれに設けられている。また、各放熱部５５は、前記下ハウジング４の放熱部４５と矢印Ｚ方向に対向する位置に設けられている。即ち、各放熱部５５は、各上挟持部５１、５２の前記電線接続部２１を覆う位置に設けられている。また、放熱部５５は、上挟持部５１、５２の前記下ハウジング４の前記内表面に重ねられる内表面と反対側の外表面から凹に形成された底部５ａから凸に形成された凸部５９が互いに間隔をあけて複数設けられていることで形成されている。上記複数の凸部５９は、矢印Ｚ方向の前記上挟持部５１、５２から離れた頂部５９ａ同士が同一平面に形成されている。前記底部５ａは、特許請求項の範囲に示された「（端子収容部３０の）表面」に相当する。
【００３７】
上記係止受け部５６は、前記立設部４６Ａ、４６Ｃの係止部４７に係止可能に形成されている。また、各係止受け部５６は、内側に係止部４７及び各係止部４７が設けられた立設部４６Ａ、４６Ｃそれぞれを通す枠状に形成されている。
【００３８】
上記係止ロック部５８（図２に示す）は、シェル取付部５４の矢印Ｙ方向の上挟持部５１、５２から離れた側の端部に設けられており、矢印Ｙ方向に凸に形成されている。また、係止ロック部５８は、後述するシールドシェル６のロック受け部６３に係止可能に形成されている。
【００３９】
さらに、上挟持部５２には、立設部４６Ｄに設けられた係止部４７が係止する図示しない係止受け部が設けられている。
【００４０】
上記シールドシェル６は、図１、図２などに示すように、前記シールド電線のシールド編組の端部が被せられるシェル本体６１と、前記シールド編組と該シールド編組の端部が被せられた前記シェル本体６１と、を互いに取り付けるシールドリング（図示しない）と、アース部６２と、を備えている。
【００４１】
上記シェル本体６１は、導電性の金属によって構成されている。また、シェル本体６１には、前記コネクタハウジング３の係止ロック部５８に係止するロック受け部６３が設けられている。
【００４２】
上記アース部６２（図２に示す）は、導電性の金属によって構成されている。アース部６２は、前記シェル本体６１に設けられている。また、アース部６２には、図示しないボルトが通される通し孔６２ａが設けられている。アース部６２は、通し孔６２ａに前記ボルトが通されて、前記シールド編組が取り付けられたシェル本体６１を、自動車を構成する車体パネル（ボディ）に取り付ける。
【００４３】
上述したコネクタ１は、以下のように、組み立てられる。まず、各電線の端末を、端子金具２の電線接続部２１の底板２３に載置して、かしめ片２４、２５を、底板２３に近付けるようにかしめて、各電線を端子金具２に取り付ける。そして、電線及び該電線が取り付けられた電線接続部２１を下ハウジング４の下挟持部４１、４２の溝部４８に載置する。この際、端子金具２の電気接触部２２は、下ハウジング４から矢印Ｚ方向に突出するように設けられている。
【００４４】
次に、下ハウジング４に対して、各挟持部４１、５１、各挟持部４２、５２、及び、シェル取付部４３、５３、及び、張出部４４、５４が矢印Ｚ方向に沿って対向するように、上ハウジング５を位置付けて、下ハウジング４の立設部４６Ｄの係止部４７を、上ハウジング５の係止受け部に近付ける。こうして、下ハウジング４と上ハウジング５とを位置決める。さらに、これらハウジング４、５を近付けると、上ハウジング５の各一対の突部５７間に、端子金具２が位置付けられるとともに、立設部４６Ｄの係止部４７が係止受け部に係止して、各立設部４６Ａ、４６Ｃの各係止部４７が、係止受け部５６それぞれに係止する。こうして、各立設部４６Ａ、４６Ｃ、４６Ｄの各係止部４７が、係止受け部５６それぞれに係止すると、各挟持部４１、５１、及び、各挟持部４２、５２が互いに組み付けられることとなり、複数の端子収容部３０が組み立てられる。この際、互いに隣り合う端子収容部３０同士は、図１に示すように、矢印Ｚ方向の互いに異なる位置に設けられている。
【００４５】
次に、シールド編組の端部をシェル本体６１に被せて、シールド編組とシールド編組が被せられたシェル本体６１と、をシールドリングを用いて互いに取り付ける。そして、シールド編組が取り付けられたシェル本体６１を、シェル取付部４３、５３の外周部に近付ける。すると、コネクタハウジング３に設けられた係止ロック部５８が、シールドシェル６に設けられたロック受け部６３に係止して、コネクタハウジング３にシールドシェル６が取り付けられる。さらに、アース部６２の通し孔６２ａの内側にボルトを通して、シェル本体６１を、自動車を構成する車体パネル（ボディ）に取り付ける。すると、シールドシェル６は、前述した電気的なノイズを、シェル本体６１及びアース部６２を介して、車体パネル（ボディ）にアースする。こうして、コネクタ１が組み立てられる。
【００４６】
上述した実施形態によれば、電線が取り付けられる電線接続部２１を備えた端子金具２と、前記端子金具２を収容する端子収容部３０が設けられたコネクタハウジング３と、を有するコネクタ１であって、前記端子収容部３０には、前記電線接続部２１を覆う位置に放熱部４５、５５が設けられ、前記放熱部４５、５５には、前記端子収容部３０の表面４ａ、５ａから凸に形成された凸部４９、５９が互いに間隔をあけて複数設けられているので、前記端子収容部３０の表面積が増加することとなり、よって、電線と、該電線が取り付けられる端子金具２との接触抵抗によって発熱した熱を、放散（放熱）しやすくすることができる。また、前記放熱部４５、５５が、前記接触抵抗によって特に発熱する前記電線接続部２１を覆う位置に設けられていることで、前記熱を効率よく放熱することができる。よって、放熱性の向上を図ったコネクタ１を提供することができる。
【００４７】
また、前記端子収容部３０は、互いの間に前記端子金具２を挟持する一対の挟持部４１、５１（挟持部４２、５２）によって構成されており、前記複数の凸部４９、５９は、該凸部４９、５９の前記一対の挟持部４１、５１（挟持部４２、５２）が互いに近付く方向（矢印Ｚ）の頂部４９ａ、５９ａ同士が同一平面に形成されているので、同一平面に形成された前記複数の頂部４９ａ、５９ａを、前記一対の挟持部４１、５１（挟持部４２、５２）が互いに近付く方向（矢印Ｚ）に押し付ける容易な作業で、前記端子金具２を前記端子収容部３０に収容することができる。
【００４８】
また、前記端子金具２が、互いに間隔をあけて複数並べられており、前記端子収容部３０が複数設けられ、前記複数の端子収容部３０は、前記複数の端子金具２が並ぶ方向（矢印Ｘ）に連結されており、互いに隣り合う前記端子収容部３０同士は、前記電線の長手方向（矢印Ｙ）と前記複数の端子金具２が並ぶ方向（矢印Ｘ）との双方向に対して交差する方向（矢印Ｚ）の互いに異なる位置に設けられているので、前記端子収容部３０の表面積がより一層増加することとなり、よって、より一層放熱性の向上を図ったコネクタ１を提供することができる。
【００４９】
なお、上述した実施形態によれば、コネクタハウジング３には、複数の端子収容部３０が設けられているが、本発明はこれに限ったものではなく、端子収容部３０は、少なくとも１つ設けられていればよい。
【００５０】
また、上述した実施形態によれば、各端子収容部３０には、下挟持部４１、４２と、上挟持部５１、５２との双方に放熱部４５、５５が設けられているが、本発明はこれに限ったものではなく、放熱部４５、５５は、下挟持部４１、４２と、上挟持部５１、５２とのうちいずれか一方のみに設けられていればよい。
【００５１】
また、前述した実施形態は、本発明の代表的な形態を示したに過ぎず、本発明は、実施形態に限定されるものではない。即ち、本発明の骨子を逸脱しない範囲で種々変形して実施することができる。
【符号の説明】
【００５２】
１  コネクタ
２  端子金具
３  コネクタハウジング
４ａ、５ａ  底部（表面）
２１  電線接続部
３０  端子収容部
４１、４２  下挟持部（挟持部）
４５、５５  放熱部
４９、５９  凸部
４９ａ、５９ａ  頂部
５１、５２  上挟持部（挟持部）
矢印Ｘ  並ぶ方向
矢印Ｙ  長手方向
矢印Ｚ  互いに近付く方向、交差する方向
【図１】
0005555536.tif 000002
【図２】
0005555536.tif 000003
【図３】
0005555536.tif 000004
【図４】
0005555536.tif 000005
【図５】
0005555536.tif 000006